(57)【要約】      （修正有）【課題】  排水管内面に固着した固形分が硬いときにも確実に除去して詰まりを解消できるようにした清掃洗浄器具を提供する。【解決手段】  合成樹脂製パイプ２０内に鋼製棒材３０を隙間をあけて挿通し、両端を合成樹脂製パイプ２０の両端から突出させ、突出した先端部分には取付け部３１を介してブラシ４０を取り付ける。作業者が手で合成樹脂製パイプ２０を把持して会所枡５０から撓ませながら排水管６０内に差し込み、合成樹脂製パイプ２０の撓んだ部分に対応する鋼製棒材３０の部分も合成樹脂製パイプ２０とともに撓ませ、合成樹脂製パイプ２０の内面によって鋼製棒材３０の回転を案内し、鋼製棒材３０を撓んだ状態で回転可能とする一方、鋼製棒材３０の押し込み力をブラシ４０にそのまま伝える。【選択図】  図５
2005040730.tif 000002
【特許請求の範囲】
【請求項１】
会所枡から湾曲させながら排水管内に差し込み、該排水管内を清掃し洗浄する清掃洗浄器具であって、
作業者が手で把持して会所枡から撓ませながら排水管内に差し込み得る一方、その内面によって後述の鋼製棒材の回転を案内する合成樹脂製パイプと、
該合成樹脂製パイプ内に隙間をあけて挿通され、両端が上記合成樹脂製パイプの両端から突出され、該突出した先端部分には取付け部が固定され、上記合成樹脂製パイプの撓んだ部分に対応する部分が上記合成樹脂製パイプとともに撓み、該撓んだ状態で回転可能である一方、後端部分からの押し込み力を先端部分に伝える鋼製棒材と、
上記取付け部に取付けられ、上記鋼製棒材の押し込み力を受けて上記排水管内に付着した固形物を前方に押し込むとともに、上記排水管の内面全面と接触し上記鋼製棒材が回転されることによって排水管内面を清掃するブラシと、
を備えたことを特徴とする排水管の清掃洗浄器具。
【請求項２】
上記鋼製棒材の外径寸法が上記合成樹脂製パイプの内径寸法の４０％〜６５％である請求項１記載の排水管の清掃洗浄器具。
【請求項３】
上記合成樹脂製パイプの後端側部分には該合成樹脂製パイプ内に洗浄水を供給するための給水口部が形成されている請求項１又は２記載の排水管の清掃洗浄器具。
【発明の詳細な説明】
【技術分野】
【０００１】
本発明は排水管の清掃洗浄器具に関し、特に排水管内面に固着した固形分が硬いときにも確実に除去して詰まりを解消できるようにした器具に関する。
【背景技術】
【０００２】
例えば、住宅や高層建築物では敷地内の地中に排水管を埋設し、複数の排水管を会所枡で集合させ、地中に埋設した排水管によって会所枡と下水管や下水溝等の間を接続し、雨水は樋から排水管を経て会所枡に集め、会所枡から下水管や下水溝等に流し、下水処理施設で処理することが行われている。
【０００３】
前述の排水管は台所、洗面所、浴槽等からの生活排水が流される雑ぱい管、あるいはトレイの汚水が流される汚水管としても兼用されることがある。かかる生活排水や汚水には食用油や人間の皮脂等の油分、人間の毛髪、汚物等が含まれており、これらが排水管の管面に付着すると、さらに油分や毛髪等が絡み合って固形化してしまい、排水管に詰まりを起こさせることがある。なお、本発明では説明の便宜上、排水管とは雑ぱい管及び汚水管を含む概念で用いる。
【０００４】
他方、フレキシブルパイプ内にワイヤーを挿通させ、ワイヤーの一端にブラシを取付けてタービン発電機の送油管の湾曲した部分に通すことができるように構成し、ブラシを回転させながら送油管内を移動させることにより、送油管の詰まりを解消するようにした清掃器具が提案されている（特許文献１）。
【特許文献１】実開昭和５７−１６９４８９号公報
【発明の開示】
【発明が解決しようとする課題】
【０００５】
上記特許文献１記載の清掃器具は排水管の清掃に利用することも可能であるが、ワイヤーの先端にブラシを固定しているので、排水管内に固着した固形分が硬いときにはブラシをいくら押し込んでもブラシの前進が固形分によって阻害され、詰まりを解消できないことが懸念される。本件発明者も上述の方式の清掃器具を試作したところ、排水管の固形分の詰まりには全く対処できないことを確認した。
【０００６】
本発明はかかる問題点に鑑み、排水管内面に固着した固形分が硬いときにも確実に除去して詰まりを解消できるようにした排水管の清掃洗浄器具を提供することを課題とする。    
【課題を解決するための手段】
【０００７】
そこで、本発明に係る排水管の清掃洗浄器具は、会所枡から湾曲させながら排水管内に差し込み、該排水管内を清掃し洗浄する清掃洗浄器具であって、作業者が手で把持して会所枡から撓ませながら排水管内に差し込み得る一方、その内面によって後述の鋼製棒材の回転を案内する合成樹脂製パイプと、該合成樹脂製パイプ内に隙間をあけて挿通され、両端が上記合成樹脂製パイプの両端から突出され、該突出した先端部分には取付けプレートが固定され、上記合成樹脂製パイプの撓んだ部分に対応する部分が上記合成樹脂製パイプとともに撓み、該撓んだ状態で回転可能である一方、後端部分からの押し込み力を先端部分に伝える鋼製棒材と、上記取付けプレートに取付けられ、上記鋼製棒材の押し込み力を受けて上記排水管内に付着した固形物を前方に押し込むとともに、上記排水管の内面全面と接触し上記鋼製棒材が回転されることによって排水管内面を清掃するブラシと、を備えたことを特徴とする。
【０００８】
本発明の特徴の１つは会所枡から排水管内に撓ませながら挿入できる鋼製棒材を用い、この鋼製棒材の先端にブラシを取付けるようにした点にある。これにより、鋼製棒材の前方への押し込み力をそのままブラシに伝えることができる。
【０００９】
また、本発明の他の特徴は鋼製棒材を合成樹脂製パイプに挿通し、鋼製棒材と合成樹脂製パイプを一緒に撓ませるようにした点にある。これにより、鋼製棒材は合成樹脂製パイプの内面と接触して該内面によって回転を案内されるので、鋼製棒材は合成樹脂製パイプ内において円滑に回転でき、ブラシは排水管内で円滑に回転できる。
【００１０】
その結果、排水管の詰まりの原因である固形分が硬くても、鋼製棒材を押し込むことによって固形分の固着力に抗してブラシを前方に確実に押し込むことができるとともに、ブラシが排水管内面の全部と接触して回転するので、固形分を細かく壊して確実に除去することができる。
【００１１】
また、ブラシが排水管内面の全部と接触して回転するので、排水管内面のヌメリも除去することができ、生活排水や汚水に含まれる油分、人間の毛髪、汚物等が排水管の内面に付着し難くなる。
【００１２】
鋼製棒材は合成樹脂製パイプ内に隙間をあけて挿通されていればよいが、鋼製棒材を円滑に回転させる上で、鋼製棒材の外径寸法を合成樹脂製パイプの内径寸法の４０％〜６５％とするのがよい。
【００１３】
清掃洗浄器具は排水管内の排水を利用して固形分を排水管から流し出してもよいが、固形分を確実に流し出し又排水管内面のヌメリを除去する上で、排水管内に洗浄水を供給するのがよい。
【００１４】
この洗浄水は合成樹脂製パイプの側方から供給してもよいが、洗浄水がブラシ近傍に確実に供給されるように、合成樹脂製パイプの内部空間を利用して洗浄水を供給するのがよい。即ち、合成樹脂製パイプの後端側部分には該合成樹脂製パイプ内に洗浄水を供給するための給水口部が形成されているのが好ましい。
【００１５】
鋼製棒材は後端部分に駆動モータの出力軸をチャッキングによって連結し、駆動モータで回転駆動してもよく、又後端部分にハンドルを形成し、作業者が手で回転させるようにしてもよい。
【００１６】
ブラシは植物繊維、金属繊維、動物繊維、合成樹脂繊維、さらにこれらの表面にコーティングを行って耐磨耗性を与えた繊維を用いて製作されることができる。
【発明を実施するための最良の形態】
【００１７】
以下、本発明を図面に示す具体例に基づいて詳細に説明する。図１ないし図５は本発明に係る排水管の清掃洗浄器具の好ましい実施形態を示す。本例の清掃洗浄器具１０は基本的には塩化ビニル製のパイプ（合成樹脂製パイプ）２０、鋼製シャフト（鋼製棒材）３０及びブラシ４０から構成されている。
【００１８】
塩化ビニル製のパイプ２０は外径２０ｍｍ、内径１３ｍｍ、隣接する会所枡５０の間の距離、あるいは清掃し洗浄すべき会所枡５０からの排水管６０の長さに相当する長さ、例えば１ｍ〜４ｍを有し、塩化ビニルパイプ２０内には鋼製シャフト３０が挿通され、鋼製シャフト３０の両端部分は塩化ビニル製パイプ２０の両端から突出されている。なお，清掃し洗浄すべき排水管６０の長さに対応して複数の異なる長さの塩化ビニル製パイプ２０及び鋼製シャフト３０を準備するのがよい。
【００１９】
この鋼製シャフト３０の先端には取付けプレート（取付け部）３１が溶接によって固定されあるいはボルト・ナットによって螺締され、取付けプレート３１にはねじ３２が立設されている。
【００２０】
このシャフト側の取付けプレート３１にはブラシ４０及びブラシ側の取付けプレート４１が重ねられ、シャフト側の取付けプレート３１のねじ３２をブラシ側の取付けプレート４１のねじ穴に挿通させてナット４２を螺合させることによってブラシ４０は鋼製シャフト３０の取付けプレート３１に交換可能に取付けられている。
【００２１】
ブラシ４０には表面に耐磨耗剤をコーティングした植物繊維を用いて製作され、外径は清掃し洗浄すべき排水管６０の内径と等しい寸法に設定されている。
【００２２】
また、塩化ビニル製パイプ２０の後端にはキャップ２１が螺合され、該キャップ２１には挿通穴が穿設されて鋼製シャフト３０の後端部分が挿通されており、これによって鋼製シャフト３０の後端部分は塩化ビニル製パイプ２０に同心に保持されている。
【００２３】
さらに、塩化ビニル製パイプ２０の後端部分にはほぼＬ字状の給水口部２２の先端が固着され、給水口部２１には水道の蛇口から延びるホース２２の先端部分が接続されるようになっている。
【００２４】
家庭の排水管６０を清掃し洗浄する場合、会所枡５０の蓋（図示せす）をあけ、本例の清掃洗浄器具１０の塩化ビニル製パイプ２０を両手又は片手で把持し、図４に示されるようにブラシ４０側を会所枡５０から清掃し洗浄すべき排水管６０内に差し込んでゆく。
【００２５】
会所枡５０の上端縁と排水管６０との間には段差があるので、塩化ビニル製パイプ２０は図５に示されるように排水管６０の入口及び会所枡５０の上端縁と当たるので、塩化ビニル製パイプ２０は撓んで湾曲し、それに伴って鋼製シャフト３０も撓んで湾曲する。鋼製シャフト３０が撓んで曲がると、鋼製シャフト３０の撓んで湾曲した部分は塩化ビニル製パイプ２０の内面と接触する。
【００２６】
この状態では鋼製シャフト３０は塩化ビニル製パイプ２０の内面によってその回転を案内されるので、鋼製シャフト３０は円滑にかつ安定して回転することができる。
【００２７】
そこで、鋼製シャフト３０の後端部分をドリル（駆動モータ）３３のチャック３４にチャッキングし、ドリル３３を駆動し、又塩化ビニル製パイプ２０の給水口部２１にホース２３を接続し、塩化ビニル製パイプ２０内に洗浄水（水道水）を送給する。
【００２８】
ドリル３３を駆動すると、鋼製シャフト３０には回転力が伝わるが、鋼製シャフト３０はその湾曲した部分か塩化ビニル製パイプ２０の内面と接触してその内面によって回転を案内されるので、鋼製シャフト３０はブラシ４０を円滑にかつ安定して回転させることができるので、鋼製シャフト３０を排水管６０内に押し込んでゆく。
【００２９】
ブラシ４０は排水管６０の内面の全部に接触し、洗浄水が供給されながら回転し、排水管６０内面に付着したヌメリを除去し洗い流す。
【００３０】
こうしてブラシ４０で排水管６０内のヌメリを除去し洗い流しているときに、ブラシ４０が排水管６０内に固着した固形分Ｗまで達すると、ブラシ４０には鋼製シャフト３０の押し込む力がそのまま伝わるので、回転するブラシ４０は固形分Ｗに強く押し付けられ、固形分Ｗを壊しながら排水管６０の内面から取り除き、取り除かれた固形分Ｗは塩化ビニル製パイプ２０から送給される洗浄水によって洗い流される。
【００３１】
鋼製シャフト３０をほぼ全長にわたって排水管６０内に押し込むと、塩化ビニル製パイプ２０を会所枡５０から引き抜き、次の会所枡にて同様の作業を行えば排水管６０を清掃し洗浄することができる。
【００３２】
内径の異なる排水管を清掃し洗浄する場合にはその排水管の内径に等しい外径のブラシを準備し、鋼製シャフト３０に取り付けられているブラシ４０と交換すればよい。
【００３３】
また、近くに適切な電源がなく、ドリル３３を使用できない場合には鋼製シャフト３０の後端部分をハンドルを取付け、あるいは予め鋼製シャフトにハンドルを形成した清掃洗浄器具を用い、作業者が鋼製シャフト３０を押し込みながら、手作業で鋼製シャフト３０を回転させるようにしてもよい。
【００３４】
また、上記の例では洗浄水を使用するようにしたが、必ずしも洗浄水を利用しなくともよい。従って、給水口部２２は必ずしも設ける必要はない。
【図面の簡単な説明】
【００３５】
【図１】本発明に係る排水管の清掃洗浄器具の好ましい実施形態を示す側面図である。
【図２】上記実施形態の構造を示す概略斜視図である。
【図３】上記実施形態の構造を示す要部拡大斜視図である。
【図４】上記実施形態の使用方法を模式的に示す図である。
【図５】上記実施形態の使用方法を模式的に示す図である。
【符号の説明】
【００３６】
１０      清掃洗浄器具
２０      塩化ビニル製パイプ（合成樹脂製パイプ）
２２      給水口部
３０      鋼製シャフト（鋼製棒材）
３１      取付けプレート（取付け部）
３２      ねじ
３３      ドリル
４０      ブラシ
５０      会所枡
６０      排水管
Ｗ        固形分
【図１】
2005040730.tif 000003
【図２】
2005040730.tif 000004
【図３】
2005040730.tif 000005
【図４】
2005040730.tif 000006
【図５】
2005040730.tif 000007